(57)【要約】【課題】画像形成装置の利便性の低下をできるだけ回避しつつ、省電力化を図ることができる画像形成装置を提供する。【解決手段】スリープモードに移行するまでのスリープ移行時間を入力するためのスリープ移行時間入力部５６と電力供給制御部６１１と切替制御部６１２とを備えた。切替制御部６１２は、スリープ移行時間が変更されていない場合はデフォルトのスリープ移行時間に基づいて電力供給モードを電力供給制御部６１１に切り替えさせ、前記入力部５６によりスリープ移行時間が変更された場合は、変更後のスリープ移行時間に基づいて電力供給モードを電力供給制御部６１１に切替させ、スリープモードに切り替えられると、スリープ移行時間の変更が行われた場合には、変更前のスリープ移行時間（デフォルト値）に基づいて電力供給モードを電力供給制御部６１１に切り替えさせる状態に戻る。【選択図】図３
2010160194.tif 000002
【特許請求の範囲】
【請求項１】
記録媒体に画像を形成する画像形成部と、
前記画像形成部を含む各部に対して電力を供給する通常モードと、前記通常モードに比して電力の供給先を減らす省電力モードとの間で電力供給モードを切り替える電力供給制御部と、
当該画像形成装置が前記通常モードに設定されている状態で、当該画像形成装置に対して行われた操作及び当該画像形成装置の動作のうち最近のものの実施タイミングに基づいて時間の計測動作を開始する時間計測部と、
前記時間計測部による計測時間が予め設定された待機時間に達すると、前記電力供給制御部に前記通常モードから省電力モードへの切替えを指示する切替制御部と、
前記待機時間を変更する入力を行うための入力操作部とを備え、
前記切替制御部は、前記入力操作部により前記待機時間の変更操作が行われると、該変更操作に応じた変更後の待機時間に基づいて前記切替えの指示を行い、該指示に基づいて前記電力供給モードが前記電力供給制御部により切替えられた後は、予め設定されたデフォルトの待機時間に基づいて前記切替え指示を行う状態に戻る画像形成装置。
【請求項２】
前記入力操作部は、前記待機時間の変更量を数値で入力するためのものであり、
前記切替制御部は、前記入力操作部により前記待機時間の変更量の入力が行われると、前記デフォルトの待機時間に前記待機時間の変更量だけ加味された時間に基づいて前記切替えの指示を行う請求項１に記載の画像形成装置。
【請求項３】
前記入力操作部は、押圧操作されるものであり、
前記切替制御部は、前記入力操作部に対する押圧操作ごとに予め定められた時間変更量ずつ前記デフォルトの待機時間に加味し、その加味された待機時間に基づいて前記切替えの指示を行う請求項１に記載の画像形成装置。
【請求項４】
前記入力操作部は、前記電力供給制御部による前記通常モードから省電力モードへの電力供給モードの切替えを禁止する禁止状態に設定する指示を入力するための第１の入力操作部と、前記禁止状態を解除する指示を入力するための第２の入力操作部とを備え、
前記切替制御部は、前記第１及び第２の入力操作部に対する入力操作に応じて前記切替えの指示を行う請求項１に記載の画像形成装置。
【発明の詳細な説明】
【技術分野】
【０００１】
本発明は、記録媒体に画像を形成する画像形成装置の技術分野に属し、特に、各部に対して電力を供給する通常モードと、前記通常モードに比して電力の供給先を減らす省電力モードとを備えた画像形成装置に関するものである。
【背景技術】
【０００２】
複写機やファクシミリ等の画像形成装置における省電力化の技術として、当該画像形成装置の各部に対して電力を供給する通常モードの他に、前記各部のうち電力の供給先を減らす所謂スリープモード（省電力モード）を設け、画像形成装置に対する操作が所定時間何もなされなかった場合や、前記スリープモードに切り替える指示が画像形成装置に入力された場合に、画像形成装置の電力供給モードを前記通常モードからスリープモードに切り替える技術が広く採用されている。
【０００３】
この電力供給モードの切替え技術に関連する技術文献として下記特許文献１がある。下記特許文献１には、定着ユニットが用紙にトナーを熱定着処理可能な定着温度とされる定着モードと、定着温度よりも低いスタンバイ温度とされるスタンバイモードと、定着ユニットの加熱を停止させる（スタンバイ状態よりも低いスリープ温度にする）スリープモードとを有するとともに、スリープ移行時間が入力可能に構成され、スリープモードに設定されている場合に、入力されたスリープ移行時間とデフォルト値との大小を比較し、前記スリープ移行時間が前記デフォルト値未満であるときにはスリープモードを維持し、前記スリープ移行時間が前記デフォルト値以上であるときには、スタンバイモードに切り替える点が記載されている。
【先行技術文献】
【特許文献】
【０００４】
【特許文献１】特開２００７−９０５２７号公報
【発明の概要】
【発明が解決しようとする課題】
【０００５】
ところで、近年では、省電力化を図るべく、通常モードからスリープモードへの切り替わりをできるだけ早く（できるだけ短い時間で）実施するように予め設定している場合がある。しかしながら、このように設定すると例えば次のような場合に不都合が生じることとなる。
【０００６】
すなわち、或るユーザが複数回に分けて断続的にコピーをしようとする状況であって、それらのコピーの合間の時間間隔が比較的長い場合に、通常モードからスリープモードへの切り替わりが短時間で実施されると、ユーザが意図しないで通常モードからスリープモードに切り替わるという不都合な状況が生じ得る。
【０００７】
このようにスリープモードに切り替わると、通常モードに戻したり、またそのように通常モードに戻した場合に装置の起動時間だけ待機したりするなどの余計な作業等をユーザに課すことになる。したがって、前述のようにスリープモードに切り替わらない場合に比して、コピー動作の開始、ひいては複写物をユーザに提供するタイミングが遅くなるため、ユーザは不便さを感じることになる。
【０００８】
本発明は、上述した問題点を解決するためになされたものであり、画像形成装置の利便性の低下をできるだけ回避しつつ、省電力化を図ることができる画像形成装置を提供することを目的とする。
【課題を解決するための手段】
【０００９】
請求項１に記載の発明は、記録媒体に画像を形成する画像形成部と、前記画像形成部を含む各部に対して電力を供給する通常モードと、前記通常モードに比して電力の供給先を減らす省電力モードとの間で電力供給モードを切り替える電力供給制御部と、当該画像形成装置が前記通常モードに設定されている状態で、当該画像形成装置に対して行われた操作及び当該画像形成装置の動作のうち最近のものの実施タイミングに基づいて時間の計測動作を開始する時間計測部と、前記時間計測部による計測時間が予め設定された待機時間に達すると、前記電力供給制御部に前記通常モードから省電力モードへの切替えを指示する切替制御部と、前記待機時間を変更する入力を行うための入力操作部とを備え、前記切替制御部は、前記入力操作部により前記待機時間の変更操作が行われると、該変更操作に応じた変更後の待機時間に基づいて前記切替えの指示を行い、該指示に基づいて前記電力供給モードが前記電力供給制御部により切替えられた後は、予め設定されたデフォルトの待機時間に基づいて前記切替え指示を行う状態に戻るものである。
【００１０】
この発明によれば、前記待機時間を変更する入力を行うための入力操作部を備えたので、ユーザは所望の待機時間を設定することができる。したがって、複数回に分けて断続的に画像形成部による画像形成動作を行わせたい場合に、ユーザが前記入力操作部を用いて所望の比較的長い待機時間を設定することで、次の原稿のコピーの準備をしている間にユーザが意図しないで通常モードからスリープモードに切り替わるという状況が発生するのを可及的に防止することができる。
【００１１】
その結果、次の原稿のコピーの準備をしている間にユーザが意図しないで通常モードからスリープモードに切り替わることに因り、通常モードに戻したり、またそのように通常モードに戻した場合に装置の起動時間だけ待機したりするなどの余計な作業等をユーザに課したりするのを可及的に防止することができる。
【００１２】
また、前記切替制御部は、電力供給制御部により前記通常モードから省電力モードに切替えられた後、予め設定されたデフォルトの待機時間に基づいて前記切替え指示を行う状態に戻るようにしたので、前記待機時間の変更者の次のユーザが当該画像形成装置を使用する場合に、待機時間が変更されていることを今回使用するユーザが認識しないまま、前記変更後の待機時間に基づく電力供給モードの切替制御が実施されたり、前記変更後の待機時間をデフォルトの待機時間に戻す作業を今回使用するユーザに課したりして画像形成装置の利便性が低下するのを回避することができる。
【００１３】
請求項２に記載の発明は、請求項１に記載の画像形成装置において、前記入力操作部は、前記待機時間の変更量を数値で入力するためのものであり、前記切替制御部は、前記入力操作部により前記待機時間の変更量の入力が行われると、前記デフォルトの待機時間に前記待機時間の変更量だけ加味された時間に基づいて前記切替えの指示を行うものである。
【００１４】
この発明によれば、前記入力操作部を前記待機時間の変更量を数値で入力するためのものとしたので、ユーザは任意の待機時間を設定することが可能となる。
【００１５】
請求項３に記載の発明は、請求項１に記載の画像形成装置において、前記入力操作部は、押圧操作されるものであり、前記切替制御部は、前記入力操作部に対する押圧操作ごとに予め定められた時間変更量ずつ前記デフォルトの待機時間に加味し、その加味された待機時間に基づいて前記切替えの指示を行うものである。
【００１６】
この発明によれば、前記入力操作部に対する操作ごとに予め定められた時間変更量ずつ前記デフォルトの待機時間に加味されるようにしたので、前記待機時間の変更を簡単な操作で行うことができる。
【００１７】
請求項４に記載の発明は、請求項１に記載の画像形成装置において、前記入力操作部は、前記電力供給制御部による前記通常モードから省電力モードへの電力供給モードの切替えを禁止する禁止状態に設定する指示を入力するための第１の入力操作部と、前記禁止状態を解除する指示を入力するための第２の入力操作部とを備え、前記切替制御部は、前記第１及び第２の入力操作部に対する入力操作に応じて前記切替えの指示を行うものである。
【００１８】
この発明によれば、前記第１及び第２の入力操作部を備えたので、ユーザは、前記通常モードから省電力モードへの切替えタイミングを任意のタイミングに設定することができるとともに、その設定を簡単な操作で行うことができる。
【発明の効果】
【００１９】
本発明によれば、次の原稿のコピーの準備をしている間にユーザが意図しないで通常モードからスリープモードに切り替わることに因り、通常モードに戻したり、またそのように通常モードに戻した場合に装置の起動時間だけ待機したりするなどの余計な作業等をユーザに課したりするのを可及的に防止することができる。
【００２０】
さらに、待機時間が変更されていることを今回使用するユーザが認識しないまま、前記変更後の待機時間に基づく電力供給モードの切替制御が実施されたり、前記変更後の待機時間をデフォルトの待機時間に戻す作業を今回使用するユーザに課したりして画像形成装置の利便性が低下するのを回避することができる。
【００２１】
その結果、画像形成装置の利便性の低下をできるだけ回避しつつ、省電力化を図ることができる。
【図面の簡単な説明】
【００２２】
【図１】複合機の内部構成を模式的に示した縦断面図である。
【図２】ユーザインターフェース部の正面図の一例である。
【図３】複合機の電気的な構成を示すブロック図である。
【図４】制御部による電力供給モードの自動切替制御を示すフローチャートである。
【図５】スリープ移行時間入力部の変形形態を示す図である。
【発明を実施するための形態】
【００２３】
以下、本発明に係る画像形成装置の実施形態を、図面を用いて説明する。尚、以下の実施形態では、本発明に係る画像形成装置として、カラーコピー、スキャナ、ファクシミリ、プリンタ等の機能を備えた複合機に集約した形態を例に説明する。図１は、この複合機の内部構成を模式的に示した縦断面図である。
【００２４】
複合機１は、大きく分けて、画像読取部２と装置本体３とからなる。画像読取部２は、原稿給紙部２１と、スキャナ部２２と、ＣＩＳ２３１と、ユーザインターフェース部５と、後述する反転機構及び制御部６１（図３参照）を備えてなる。
【００２５】
原稿給紙部２１は、ＡＤＦ（Automatic Document Feeder）を備え、原稿トレイ２１１、ピックアップローラ２１２、プラテン２１３、排紙ローラ２１４及び排紙トレイ２１５を有する。原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００２６】
前記プラテン２１３の周面に対向する位置のうち、原稿の搬送方向において読取位置Ｐより手前の予め定められた位置には、用紙を検出する図略のタイミングセンサが設置されており、該タイミングセンサの出力信号に基づき、前記読取位置Ｐへの原稿の搬送タイミングが図られる。前記タイミングセンサは、例えばフォトインタラプタにより構成される。
【００２７】
スキャナ部２２は、原稿の画像を光学的に読み取って画像データを生成するものである。スキャナ部２２は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。
【００２８】
このスキャナ部２２は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。スキャナ部２２は、光源２２２として冷陰極蛍光管等の白色蛍光ランプを用いて構成されていることから、光源として３色ＬＥＤ等が用いられる後述のＣＩＳ２３１よりも色再現性に優れる。
【００２９】
ガラス２２１には、前記原稿給紙部２１によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００３０】
画像読取部２の原稿読取方式として、ガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。
【００３１】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。
【００３２】
ＣＣＤ２２９は一次元のイメージセンサであり、１ライン分の原稿の画像データを同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００３３】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。
【００３４】
原稿給紙部２１による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００３５】
更に、原稿給紙部２１は、切換ガイド２１６、反転ローラ２１７及び反転搬送路２１８を備えた原稿反転機構を有する。この原稿反転機構が、１回目のＡＤＦ読み取りによって表面が読み取られた原稿を表裏反転させて読取窓２３０に再搬送することで、再度ＣＣＤ２２９によって裏面の読み取りが行われる。
【００３６】
この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００３７】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、原稿反転機構を用いて原稿の両面を読み取らせるモードを両面反転読取モードと表記する。
【００３８】
更に、本実施形態の画像読取部２は、ＡＤＦ読取モード時において、前述したように原稿の搬送途中でＣＣＤ２２９（スキャナ部２２）によって原稿の表面の読み取りを行わせると略同時に（略並行して）、ＣＩＳ２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。
【００３９】
このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００４０】
この両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。なお、本実施形態における複合機１は、両面同時読取モードに初期設定されており、前記読取モードのモード設定操作が何も行われないまま画像形成指示が入力された場合には、両面同時読取モードで原稿の画像読取動作が行われるようになっている。
【００４１】
複合機１は、装置本体３と、装置本体３の左方に配設されたスタックトレイ６とを有している。装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００４２】
画像形成部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００４３】
なお、シアン、マゼンタ、イエロー及びブラックの各色に対するトナーの供給は、図略のトナーカートリッジから行われる。また、画像形成部４０を通過した記録紙をスタックトレイ６又は排出トレイ４８まで搬送する搬送ローラ４６３，４６４等が設けられている。
【００４４】
記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００４５】
また、装置本体３の前方には、ユーザが操作画面や各種メッセージ等を視認することができる表示部５１や、種々の操作命令を入力するための操作ボタンを有するユーザインターフェース部５が備えられている。図２は、ユーザインターフェース部５の正面図の一例である。
【００４６】
図２に示すユーザインターフェース部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーザに対する操作案内画面が表示される。この表示部５１は、タッチパネル５２と一体的に形成されている。タッチパネル５２は、ユーザによるタッチ操作がなされたときにそのタッチ位置を検知し、該タッチ位置を示す検知信号を後述する制御部６１へ出力するものである。
【００４７】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００４８】
図３は、複合機１の電気的な構成を示すブロック図である。尚、図１、図２に示した各部と同一のものには同一の符号を付し、その説明は省略する。複合機１は、原稿給紙部２１、スキャナ部２２、ＣＩＳ２３１、ユーザインターフェース部５、画像形成部４０、通信部６６、記憶部６７及び制御部６１を備えて構成される。
【００４９】
原稿給紙部２１は、前記ＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。スキャナ部２２及びＣＩＳ２３１は、図１、図２に示すスキャナ部２２及びＣＩＳ２３１に相当するものである。
【００５０】
ユーザインターフェース部５は、図１に示すユーザインターフェース部５に相当するものであり、使用者がコピー機能、プリンタ機能、ファクシミリ機能及びスキャナ機能等に関する操作を行うために使用され、使用者による操作命令（コマンド）等を制御部６１に与えるものである。
【００５１】
画像形成部４０は、スキャナ部２２又はＣＩＳ２３１によって得られた画像データや、前記パーソナルコンピュータやファクシミリ装置等から通信部６６を介して転送された画像データに基づいた画像を記録紙に形成するものである。通信部６６は、図略のネットワークインターフェースを用い、ネットワークを介して接続されたコンピュータやファクシミリ装置等の外部装置との間で種々のデータの送受信を行うものである。
【００５２】
記憶部６７は、スキャナ部２２及びＣＩＳ２３１の読取動作により得られた画像データや、制御部６１により処理された画像データ等を記憶する記憶部と、ファクシミリ通信を行う時の短縮釦登録の相手先名称やファクシミリ番号、或いは、ネットワークスキャナとして使用される際の送信相手先のＩＰアドレスなどを予め記憶したりする記憶部とを有して構成されているものである。
【００５３】
制御部６１は、複合機１全体の動作制御を司るものであり、ＣＰＵ、ＲＡＭ及びＲＯＭ等によって構成される。前記原稿給紙部２１、スキャナ部２２、ＣＩＳ２３１、ユーザインターフェース部５、画像形成部４０及び通信部６６は、制御部６１による制御の下で動作する。制御部６１は、ユーザからユーザインターフェース部５に入力された各種の指示信号等に応じて、図略のＲＯＭ又は前記記憶部６７に記憶されている動作制御プログラムに基づいた処理を実行し、各機能部への指示信号の出力、データ転送等を行って複合機１を統括的に制御する。
【００５４】
本実施形態では、ユーザインターフェース部５にスリープ移行時間入力部５６を備えるとともに、制御部６１に、電力供給制御部６１１と、切替制御部６１２としての機能を備えている。
【００５５】
電力供給制御部６１１は、当該複合機１の電力供給モードを切り替えるものであり、前記切替制御部６１２は、前記電力供給モードの切替指示を行うものである。本実施形態の複合機１は、省電力化を図るべく、複合機１内の各部に電力が供給される通常モードの他に、電力の供給先を前記通常モードに比して減らすスリープモード（省電力モード）が設けられており、例えばユーザインターフェース部５に設けられている節電ボタン５４（図２参照）が押圧操作された場合や、複合機１に対して所定時間操作がなされなかった場合、或いは複合機１に所定時間動作の必要性が発生しなかった場合、切替制御部６１２は、前記節電ボタン５４が操作されると、前記電力供給モードを通常モードからスリープモードに切り替える指示を前記電力供給制御部６１１に出力する。電力供給制御部６１１は、該指示を受けて予め定められた各部への電力供給を停止する。
【００５６】
ここで、スリープ移行時間入力部５６の説明を行う。スリープ移行時間入力部５６は、当該複合機１に対して所定時間操作がなされなかった場合や複合機１に所定時間動作の必要性が発生しなかったことによりユーザから指示を受けることなく自動的に通常モードから前記スリープモードに切り替える自動切替制御を実施する場合に、その切り替わりタイミング、換言すると通常モードからスリープモードに切り替わるまでの時間（以下、スリープ移行時間という；前記待機時間に相当）を設定する入力を行うためのものである。
【００５７】
スリープ移行時間入力部５６は、本実施形態では、表示部５１、タッチパネル５２及び数字キー群５３により構成されている。すなわち、図２に示すように、表示部５１は、前記スリープ移行時間の設定画面が表示可能となっており、該設定画面には、スリープ移行時間についてのデフォルト値（矢印Ａ）と、変更後のスリープ移行時間（矢印Ｂ）とが表示される。そして、矢印Ｂで示す表示領域をタッチすることにより図略のカーソルを該表示領域内で表示させた状態で、数字キー群５３により所望のスリープ移行時間を数値で入力することにより、スリープ移行時間がその時間に変更される。なお、図２では、３０（秒）に予め設定されているデフォルトのスリープ移行時間を、１２０（秒）に変更する状況を示している。
【００５８】
切替制御部６１２は、複合機１に対する操作及び複合機１の動作のうち最近のものの実施タイミングからの経過時間を計測するタイマ６１２ａを備え、複合機１に対する操作及び複合機１の動作のうち最近のものの実施タイミングから前記スリープ移行時間が経過したことをタイマ６１２ａにより検出すると、前記電力供給モードを通常モードからスリープモードに切り替える指示を前記電力供給制御部６１１に出力する。電力供給制御部６１１は、該指示を受けて予め定められた各部への電力供給を停止する。
【００５９】
ここで、切替制御部６１２は、前記スリープ移行時間が変更されていない場合には、デフォルトのスリープ移行時間（例えば複合機１の工場出荷時の時点で既に記憶されているスリープ移行時間）に基づいて電力供給モードの切替指示を電力供給制御部６１１に出力し、前記スリープ移行時間が変更された場合には、その変更後のスリープ移行時間に基づいて電力供給モードの切替指示を電力供給制御部６１１に出力する。
【００６０】
例えば図２に示すようなスリープ移行時間の変更がなされた場合、切替制御部６１２は、該変更操作終了時点から１２０秒後にスリープモードへの切替指示を電力供給制御部６１１に出力し、電力供給制御部６１１はその直後に電力供給モードをスリープモードに切り替える。
【００６１】
さらに、本実施形態では、切替制御部６１２は、スリープモードに切り替えられると、スリープ移行時間の変更が行われた場合には変更前のスリープ移行時間、すなわちスリープ移行時間をデフォルト値に基づいて電力供給モードの切替指示を電力供給制御部６１１に出力する状態に戻る。
【００６２】
これにより、前記スリープ移行時間の変更者の次のユーザが今回複合機１を使用しようとする場合に、スリープ移行時間が変更されていることを前記次のユーザが認識しないまま、前記変更後のスリープ移行時間に基づいて通常モードからスリープモードへの切替制御が実施されたり、前記変更後のスリープ移行時間をデフォルト値に戻す作業を前記ユーザ（今回複合機１を使用しようとするユーザ）に課したりすることで、複合機１の利便性が低下するのを回避することができる。
【００６３】
なお、切替制御部６１２は、前記複合機１に対する何らかの操作が行われると、前記電力供給モードをスリープモードから通常モードに切り替える指示を前記電力供給制御部６１１に出力する。電力供給制御部６１１は、該指示を受けて予め定められた各部への電力供給を実施する。
【００６４】
図４は、制御部６１による電力供給モードの自動切替制御を示すフローチャートである。
【００６５】
図４に示すように、切替制御部６１２は、複合機１に対する操作又は複合機１の動作が終了すると（ステップ♯１でＹＥＳ）、タイマ６１２ａを用いて、その終了タイミングからの経過時間を計測し始める（ステップ♯２）。そして、切替制御部６１２は、前記タイマ６１２ａの計測時間がスリープ移行時間Ｔｄ（デフォルト値）に達したか否かを判断し（ステップ♯３）、前記タイマ６１２ａの計測時間が前記デフォルト値に達した場合には（ステップ♯３でＹＥＳ）、電力供給制御部６１１に電力供給モードを通常モードからスリープモードに切り替える指示を出力し、電力供給制御部６１１は、複合機１を構成する各部のうち予め定められた対象への電力供給を停止する（ステップ♯４）。
【００６６】
一方、切替制御部６１２は、前記タイマ６１２ａの計測時間がデフォルトのスリープ移行時間Ｔｄに達していないと判断すると（ステップ♯３でＮＯ）、複合機１に対して何らかの操作が行われたか否かを判断する（ステップ♯５）。切替制御部６１２は、複合機１に対して何らかの操作が行われていないと判断すると（ステップ♯５でＮＯ）、ステップ♯３の処理に戻る一方、複合機１に対して何らかの操作が行われたと判断すると（ステップ♯５でＹＥＳ）、その操作がスリープ移行時間を変更する操作であるか否かを判断する（ステップ♯６）。
【００６７】
切替制御部６１２は、前記操作がスリープ移行時間を変更する操作ではないと判断すると（ステップ♯６でＮＯ）、制御部６１は、前記操作に対応する動作を各部に指示する一方（ステップ♯７）、前記操作がスリープ移行時間を変更する操作であると判断すると（ステップ♯６でＹＥＳ）、スリープ移行時間を、デフォルト値Ｔｄから前記操作により入力されたスリープ移行時間Ｔａに変更する（ステップ♯８）。
【００６８】
そして、切替制御部６１２は、タイマ６１２ａをリセットして時間の計測動作を開始する（ステップ♯９）。そして、切替制御部６１２は、前記タイマ６１２ａの計測時間が前記変更後のスリープ移行時間Ｔａに達したか否かを判断し（ステップ♯１０）、前記タイマ６１２ａの計測時間が前記変更後のスリープ移行時間Ｔａに達していないと判断すると（ステップ♯１０でＮＯ）、複合機１に対して何らかの操作が行われたか否かを判断する（ステップ♯１１）。
【００６９】
切替制御部６１２は、複合機１に対して何らかの操作が行われていないと判断すると（ステップ♯１１でＮＯ）、ステップ♯１０の処理に戻る一方、複合機１に対して何らかの操作が行われたと判断すると（ステップ♯１１でＹＥＳ）、制御部６１は、前記操作に対応する動作を各部に指示する（ステップ♯１２）。
【００７０】
一方、切替制御部６１２は、前記タイマ６１２ａの計測時間が前記変更後のスリープ移行時間Ｔａに達したと判断すると（ステップ♯１０でＹＥＳ）、電力供給制御部６１１に電力供給モードを通常モードからスリープモードに切り替える指示を出力し、電力供給制御部６１１は、複合機１を構成する各部のうち予め定められた対象への電力供給を停止するとともに（ステップ♯４）、切替制御部６１２は、スリープ移行時間を変更前の値、すなわちデフォルト値に戻す。
【００７１】
以上のように、本実施形態では、デフォルトのスリープ移行時間、又は該スリープ移行時間を変更した場合にはその変更後のスリープ移行時間が経過すると、複合機１の電力供給モードを通常モードからスリープモードに切り替えるようにしたので、このような電力供給モードの切替えを実施しない場合に比して省電力化を図ることができる。
【００７２】
特に、本実施形態では、スリープ移行時間を変更する機能を複合機１に搭載したので、ユーザがスリープ移行時間入力部５６を用いて所望の比較的長い待機時間を設定することが可能となり、或るユーザが原稿を複数回に分けて断続的にコピーしようとする場合に、ユーザがスリープ移行時間入力部５６を用いて所望の比較的長い待機時間を設定することで、次の原稿のコピーの準備をしている間にユーザが意図せずに通常モードからスリープモードに切り替わるという状況が発生するのを可及的に防止することができる。
【００７３】
その結果、次の原稿のコピーの準備をしている間にユーザが意図しないで通常モードからスリープモードに切り替わることに因り、ユーザが電力供給モードを通常モードに戻したり、また、そのように通常モードに戻した場合に複合機１の起動に要する時間だけ待機したりするなどの余計な作業等をユーザに課したりするのを可及的に防止することができる。
【００７４】
また、前記通常モードから省電力モードに切替えられた後、前記切替制御部６１２は、前記スリープ移行時間について予め設定されたデフォルト値に基づいて前記切替え指示を行う状態に戻るようにしたので、前記スリープ移行時間の変更者の次のユーザが当該複合機１を使用する場合に、今回使用しようとするユーザが、前記スリープ移行時間が変更されていることを認識しないまま前記変更後のスリープ移行時間に基づく電力供給モードの切替制御が実施されたり、前記変更後のスリープ移行時間をデフォルト値に戻す作業を次に使用するユーザに課したりするのを回避することができ、もって、複合機１の利便性が低下するのを回避することができる。
【００７５】
なお、本件は、前記実施形態に代えて、又は前記実施形態に加えて次のような変形形態も採用可能である。
【００７６】
［１］スリープ移行時間を変更する入力を行うための構成は、前記実施形態のようにスリープ移行時間についての数値を数字キー群５３で入力する形態に限られず、例えば図５に示すように、ボタン１００を設け、該ボタン１００が押圧されるごとに、切替制御部１６２が、予め定められた時間単位（例えば２０秒単位）でスリープ移行時間を延長する指示をボタン１００から受け付けて、指示された時間だけスリープモードに切り替えられるタイミングが延期されるように構成してもよい。
【００７７】
また、この形態の他、前記電力供給制御部６１２による前記通常モードから省電力モードへの電力供給モードの切替えを禁止する状態に設定する指示を入力するための第１の入力操作部と、前記通常モードから省電力モードへの電力供給モードの切替えの禁止状態を解除する指示を入力するための第２の入力操作部とをユーザインターフェース部５に備えるようにしてもよい。
【００７８】
その１形態として、例えば、ボタン１００を設け、該ボタン１００に前記第１の入力操作部及び第２の入力操作部としての機能を付与する形態が想定される。すなわち、複合機１に対する操作及び複合機１の動作のうち最近のもののタイミング以降において、前記ボタン１００に対する初回の押圧操作が行われると、切替制御部６１２は、前記通常モードからスリープモードへの電力供給モードの切替えを前記電力供給制御部６１２に指示しない状態（前記通常モードからスリープモードへの切替えを禁止する状態）となり、前記ボタン１００に対する２回目の押圧操作が行われると、その状態を解除する形態が想定される。
【００７９】
なお、前記ボタン１００に対する２回目の押圧操作が行われた場合の前記通常モードから省電力モードへの電力供給モードの切替制御については、複合機１に対する操作及び複合機１の動作のうち最近のもののタイミングから計測を開始したタイマ６１２ａの計測時間が、前記ボタン１００に対する２回目の押圧操作が行われた時点で前記デフォルト値に達していない場合には、達した時点で前記通常モードから省電力モードへの電力供給モードの切替えを前記電力供給制御部６１２に指示する一方、前記ボタン１００に対する２回目の押圧操作が行われた時点でタイマ６１２ａの計測時間が既に前記デフォルト値に達している場合には、速やかに前記通常モードから省電力モードへの電力供給モードの切替えを前記電力供給制御部６１２に指示するとよい。
【００８０】
［２］前記各実施形態においては、スリープ移行時間の変更態様として、スリープ移行時間の延長を想定したが、本件は、スリープ移行時間を短縮する形態も含む。
【符号の説明】
【００８１】
１      複合機
５６    スリープ移行時間入力部
６１    制御部
６１１  電力供給制御部
６１２  切替制御部
６１２ａ  タイマ
【図１】
2010160194.tif 000003
【図２】
2010160194.tif 000004
【図３】
2010160194.tif 000005
【図４】
2010160194.tif 000006
【図５】
2010160194.tif 000007